(57)【要約】ＵＥは、ブルートゥース通信とＷＷＡＮセルサーチおよひ゛測定動作との両方のために同じアンテナを使用し得る。干渉を回避するために、ＵＥはＷＷＡＮセルサーチおよび測定動作の周期性を調整し得る。ＷＷＡＮセルサーチおよび測定周期性の調整はブルートゥース通信のリンク品質に基き得る。【選択図】図２
2017537513.tif 000002
【特許請求の範囲】
【請求項１】
ワイヤレス通信のための方法であって、
ブルートゥース（ＢＴ）通信とワイヤレス広域ネットワーク（ＷＷＡＮ）セルサーチおよび／または測定との両方のために受信チェーンを使用することと、
前記ＢＴ通信についてＢＴリンク品質を検出することと、
前記ＷＷＡＮセルサーチおよび／または測定の周期性を前記ＢＴリンク品質に基いて調整することと
を備える、方法。
【請求項２】
前記ＷＷＡＮセルサーチおよび／または測定の前記周期性を調整することは、
前記ＢＴ通信のタイプ、前記ＢＴ通信のパラメータ、および前記ＢＴ通信のために使用されるＢＴパケットタイプを決定することと、
前記ＢＴリンク品質、前記ＢＴ通信の前記タイプ、前記ＢＴ通信の前記パラメータ、および前記ＢＴ通信のために使用される前記ＢＴパケットタイプのうちの少なくとも１つに基いて、前記ＷＷＡＮセルサーチおよび／または測定の前記周期性を調整することと
を備える、請求項１に記載の方法。
【請求項３】
前記受信チェーンを使用することは、
拡張音声（ＥＶ）パケットタイプ ＥＶ３、２ＥＶ３、または３ＥＶ３を含むＢＴ通信のために前記受信チェーンを使用することを備える、請求項１に記載の方法。
【請求項４】
前記受信チェーンを使用することは、
第２の受信チェーンによって使用される周波数または無線アクセス技術（ＲＡＴ）とは異なる周波数またはＲＡＴでＷＷＡＮセルサーチおよび／または測定のために前記受信チェーンを使用することを備える、請求項１に記載の方法。
【請求項５】
前記ＢＴリンク品質を検出することは、
前記ＢＴ通信についてパケット誤り率（ＰＥＲ）を決定することを備える、請求項１に記載の方法。
【請求項６】
前記ＷＷＡＮセルサーチおよび／または測定の前記周期性を調整することは、
前記ＢＴ ＰＥＲが増大することにつれて前記ＷＷＡＮセルサーチおよび／または測定の前記周期性を増大することを備え、前記ＷＷＡＮセルサーチおよび／または測定の前記周期性は前記ＷＷＡＮに基づく上限を有する、請求項５に記載の方法。
【請求項７】
前記ＷＷＡＮセルサーチおよび／または測定の前記周期性を調整することは、
前記ＢＴ ＰＥＲが複数のしきい値ＰＥＲ制限のうちの１つを超過していると決定することと、
前記ＢＴ ＰＥＲによって超過された前記しきい値ＰＥＲ制限に基いて前記ＷＷＡＮセルサーチおよび／または測定の前記周期性を設定することと
を備える、請求項５に記載の方法。
【請求項８】
前記ＷＷＡＮセルサーチおよび／または測定の前記周期性を調整することは、
所定のＰＥＲ範囲内にＢＴ ＰＥＲを維持するように前記ＷＷＡＮセルサーチおよび／または測定の前記周期性を設定することを備える、請求項５に記載の方法。
【請求項９】
前記ＢＴ通信について前記ＰＥＲを決定することは、
所定の時間期間にわたって前記ＢＴ ＰＥＲを測定することを備える、請求項５に記載の方法。
【請求項１０】
前記ＷＷＡＮセルサーチおよび／または測定の前記周期性を調整することは、
スケーリング係数を前記ＷＷＡＮセルサーチおよび／または測定の前記周期性を調整するために使用することを備える、請求項１に記載の方法。
【請求項１１】
ＢＴパケット誤り率を所定の範囲に維持するために最低の可能なスケーリング係数を選択することをさらに備える、請求項１０に記載の方法。
【請求項１２】
最小数のＢＴ通信インターバルが前記ＷＷＡＮセルサーチおよび／または測定によって影響を及ぼされるように前記ＷＷＡＮセルサーチおよび／または測定のタイミングとＢＴ通信とを揃えることをさらに備える、請求項１に記載の方法。
【請求項１３】
ワイヤレス通信のための装置であって、
ブルートゥース（ＢＴ）通信とワイヤレス広域ネットワーク（ＷＷＡＮ）セルサーチおよび／または測定との両方のために受信チェーンを使用するための手段と、
前記ＢＴ通信についてＢＴリンク品質を検出するための手段と、
前記ＷＷＡＮセルサーチおよび／または測定の周期性を前記ＢＴリンク品質に基いて調整するための手段と
を備える、装置。
【請求項１４】
前記ＷＷＡＮセルサーチおよび／または測定の前記周期性を調整するための前記手段は、
前記ＢＴ通信のタイプ、前記ＢＴ通信のパラメータ、および前記ＢＴ通信のために使用されるＢＴパケットタイプを決定するための手段と、
前記ＢＴリンク品質、前記ＢＴ通信の前記タイプ、前記ＢＴ通信の前記パラメータ、および前記ＢＴ通信のために使用される前記ＢＴパケットタイプのうちの少なくとも１つに基いて、前記ＷＷＡＮセルサーチおよび／または測定の前記周期性を調整するための手段と
を備える、請求項１３に記載の装置。
【請求項１５】
前記受信チェーンを使用するための前記手段は、
拡張音声（ＥＶ）パケットタイプ ＥＶ３、２ＥＶ３、または３ＥＶ３を含むＢＴ通信のために前記受信チェーンを使用するための手段を備える、請求項１３に記載の装置。
【請求項１６】
前記受信チェーンを使用するための前記手段は、
第２の受信チェーンによって使用される周波数または無線アクセス技術（ＲＡＴ）とは異なる周波数またはＲＡＴでＷＷＡＮセルサーチおよび／または測定のために前記受信チェーンを使用するための手段を備える、請求項１３に記載の装置。
【請求項１７】
前記ＢＴリンク品質を検出するための前記手段は、
前記ＢＴ通信についてパケット誤り率（ＰＥＲ）を決定するための手段を備える、請求項１３に記載の装置。
【請求項１８】
前記ＷＷＡＮセルサーチおよび／または測定の前記周期性を調整するための前記手段は、
前記ＢＴ ＰＥＲが増大することにつれて前記ＷＷＡＮセルサーチおよび／または測定の前記周期性を増大するための手段を備え、前記ＷＷＡＮセルサーチおよび／または測定の前記周期性は前記ＷＷＡＮに基づく上限を有する、請求項１７に記載の装置。
【請求項１９】
前記ＷＷＡＮセルサーチおよび／または測定の前記周期性を調整するための前記手段は、
前記ＢＴ ＰＥＲが複数のしきい値ＰＥＲ制限のうちの１つを超過していると決定するための手段と、
前記ＢＴ ＰＥＲによって超過された前記しきい値ＰＥＲ制限に基いて前記ＷＷＡＮセルサーチおよび／または測定の前記周期性を設定するための手段と
を備える、請求項１７に記載の装置。
【請求項２０】
前記ＷＷＡＮセルサーチおよび／または測定の前記周期性を調整するための前記手段は、
所定のＰＥＲ範囲内にＢＴ ＰＥＲを維持するように前記ＷＷＡＮセルサーチおよび／または測定の前記周期性を設定するための手段を備える、請求項１７に記載の装置。
【請求項２１】
前記ＢＴ通信について前記ＰＥＲを決定するための前記手段は、
所定の時間期間にわたって前記ＢＴ ＰＥＲを測定するための手段を備える、請求項１７に記載の装置。
【請求項２２】
前記ＷＷＡＮセルサーチおよび／または測定の前記周期性を調整するための前記手段は、
スケーリング係数を前記ＷＷＡＮセルサーチおよび／または測定の前記周期性を調整するために使用するための手段を備える、請求項１３に記載の装置。
【請求項２３】
ＢＴパケット誤り率を所定の範囲に維持するために最低の可能なスケーリング係数を選択するための手段をさらに備える、請求項２２に記載の装置。
【請求項２４】
最小数のＢＴ通信インターバルが前記ＷＷＡＮセルサーチおよび／または測定によって影響を及ぼされるように前記ＷＷＡＮセルサーチおよび／または測定のタイミングとＢＴ通信とを揃えるための手段をさらに備える、請求項１３に記載の装置。
【請求項２５】
ワイヤレス通信のための装置であって、
プロセッサと、
前記プロセッサと電気的に通信しているメモリと、
前記メモリに保存された命令とを備え、前記命令は、
ブルートゥース（ＢＴ）通信とワイヤレス広域ネットワーク（ＷＷＡＮ）セルサーチおよび／または測定との両方のために受信チェーンを使用し、
前記ＢＴ通信についてＢＴリンク品質を検出し、
前記ＷＷＡＮセルサーチおよび／または測定の周期性を前記ＢＴリンク品質に基いて調整するために前記プロセッサによって実行可能である、装置。
【請求項２６】
前記ＷＷＡＮセルサーチおよび／または測定の前記周期性を調整するための命令は、
前記ＢＴ通信のタイプ、前記ＢＴ通信のパラメータ、および前記ＢＴ通信のために使用されるＢＴパケットタイプを決定し、
前記ＢＴリンク品質、前記ＢＴ通信の前記タイプ、前記ＢＴ通信の前記パラメータ、および前記ＢＴ通信のために使用される前記ＢＴパケットタイプのうちの少なくとも１つに基いて、前記ＷＷＡＮセルサーチおよび／または測定の前記周期性を調整するために前記プロセッサによって実行可能な命令を含む、請求項２５に記載の装置。
【請求項２７】
前記ＢＴリンク品質を検出するための命令は、
前記ＢＴ通信についてパケット誤り率（ＰＥＲ）を決定するために前記プロセッサによって実行可能な命令を含む、請求項２５に記載の装置。
【請求項２８】
前記ＷＷＡＮセルサーチおよび／または測定の前記周期性を調整するための命令は、
スケーリング係数を前記ＷＷＡＮセルサーチおよび／または測定の前記周期性を調整するために使用すために前記プロセッサによって実行可能な命令を含む、請求項２５に記載の装置。
【請求項２９】
コンピュータ実行可能なコードを記憶する非一時的コンピュータ可読媒体であって、前記コードは、
ブルートゥース（ＢＴ）通信とワイヤレス広域ネットワーク（ＷＷＡＮ）セルサーチおよび／または測定との両方のために受信チェーンを使用し、
前記ＢＴ通信についてＢＴリンク品質を検出し、
前記ＷＷＡＮセルサーチおよび／または測定の周期性を前記ＢＴリンク品質に基いて調整するためにプロセッサによって実行可能である、コンピュータ可読媒体。
【請求項３０】
前記ＷＷＡＮセルサーチおよび／または測定の前記周期性を調整するためのコードは、
前記ＢＴ通信のタイプ、前記ＢＴ通信のパラメータ、および前記ＢＴ通信のために使用されるＢＴパケットタイプを決定し、
前記ＢＴリンク品質、前記ＢＴ通信の前記タイプ、前記ＢＴ通信の前記パラメータ、および前記ＢＴ通信のために使用される前記ＢＴパケットタイプのうちの少なくとも１つに基いて、前記ＷＷＡＮセルサーチおよび／または測定の前記周期性を調整するために前記プロセッサによって実行可能なコードを含む、請求項２９に記載のコンピュータ可読媒体。
【発明の詳細な説明】
【相互参照】
【０００１】
[0001]  
本特許出願は、この譲受人に譲渡された、２０１４年１０月２４日付で出願され、「LTE CELL SEARCH AND BLUETOOTH eSCO COEXISTENCE USING SHARED ANTENNA」と題された、Das他による米国特許出願第14/522,899号に基づく優先権を主張する。
【技術分野】
【０００２】
[0002]  本開示は、例えば、ワイヤレス通信システムに関し、特にワイヤレス広域ネットワーク（ＷＷＡＮ）セルサーチおよび／またはブルートゥース（登録商標）（ＢＴ）通信のための共有アンテナの使用に関する。
【背景技術】
【０００３】
[0003]  ワイヤレス通信システムは、音声、映像、パケットデータ、メッセージング、ブロードキャスト、等のような様々なタイプの通信コンテンツを提供するために広く展開されている。これらのシステムは、利用可能なシステムリソース（例えば、時間、周波数、および電力）を共有することによって複数のユーザとの通信をサポートすることが可能な多元接続システムであり得る。そのような多元接続システムの例は、符号分割多元接続（ＣＤＭＡ）システム、時分割多元接続（ＴＤＭＡ）システム、周波数分割多元接続（ＦＤＭＡ）システム、および、直交周波数分割多元接続（ＯＦＤＭＡ）システムを含む。
【０００４】
[0004]  例として、ワイヤレス多元接続通信システムは、多数の基地局を含みえ、その各々は、複数のユーザ機器（ＵＥ）のための通信を同時にサポートする。基地局は、（例えば、基地局からＵＥへの送信のための）ダウンリンクチャネルおよび（例えば、ＵＥから基地局への送信のための）アップリンクチャネル上でＵＥと通信し得る。
【０００５】
[0005]  基地局との通信に加えて、ＵＥはまたアクセスポイント（ＡＰ）と通信し得る。基地局およびアクセスポイントとの通信は異なる無線アクセス技術（ＲＡＴ）を使用し得る。例えば、ＵＥおよび基地局間の通信がワイヤレス広域ネットワーク（ＷＷＡＮ）を使用できる一方で、ＵＥおよびアクセスポイント間の通信がワイヤレスローカルエリアネットワーク（ＷＬＡＮ）を使用できる。一例のＷＬＡＮ通信プロトコルはブルートゥース通信である。
【０００６】
[0006]  ＵＥが、複数のアンテナおよび、ＷＷＡＮおよびＷＬＡＮを含むモデムを含み得る一方で、単一モデムおよびアンテナの少なくとも一部がＷＷＡＮおよびＷＬＡＮ通信の両方のために使用されるときがあり得る。一例として、ＵＥは、時々、ブルートゥース通信および特定タイプのＷＷＡＮ通信の両方を容易にするためにＷＬＡＮモデムおよびアンテナを使用する。例えば、ＷＬＡＮモデムおよびアンテナは、ブルートゥース通信のためにも使用される間に、ＷＷＡＮセルサーチおよび測定動作のために使用され得る。このシナリオでは、ＷＷＡＮセルサーチおよび測定動作とブルートゥース通信との間の協調が潜在的な干渉を低減するために有用であり得る。
【発明の概要】
【０００７】
[0007]  ＵＥは、異なる無線アクセス技術（ＲＡＴ）のために一般に使用される複数のアンテナおよび複数のモデムを含み得る。しかしながら、ＵＥはまた、同一アンテナおよび関連モデムを異なるＲＡＴのために使用し得る。ＵＥがブルートゥース通信と特定のＷＷＡＮ通信との両方のために単一アンテナを使用する場合、ＵＥがブルートゥース通信との干渉を回避するためにＷＷＡＮ通信を調整するための機能を含み得る。特に、ＵＥがブルートゥース（ＢＴ）拡張シンクロナスコネクションオリエンテッド（ｅＳＣＯ： extended Synchronous Connection Oriented）通信(例えば、音声ベースの通信)に従事しているとき、ＵＥは共有アンテナ上のＷＷＡＮセルサーチおよび測定動作が干渉を低減するために調整され得ると決定し得る。調整のレベルは、ＢＴ ＳＣＯ通信のリンク品質(例えば、パケット誤り率（ＰＥＲ）)を測定することによって決定され得る。測定されたリンク品質に基き、ＷＷＡＮセルサーチおよび測定動作の周期性(periodicity)が最小周期性から最大周期性まで、あるいはこれらの間のどこかに調整され得る。
【０００８】
[0008]  第１の例示的な実施形態では、ワイヤレス通信のための方法が開示される。方法は、ブルートゥース（ＢＴ）通信とワイヤレス広域ネットワーク（ＷＷＡＮ）セルサーチおよび／または測定との両方のために受信チェーンを使用することと、ＢＴ通信についてＢＴリンク品質を検出することと、ＷＷＡＮセルサーチおよび／または測定の周期性をＢＴリンク品質に基いて調整することとを含み得る。
【０００９】
[0009]  一態様において、ＷＷＡＮセルサーチおよび／または測定の周期性を調整することは、ＢＴ通信のタイプ、ＢＴ通信のパラメータ、およびＢＴ通信のために使用されるＢＴパケットタイプを決定することと、ＢＴリンク品質、ＢＴ通信のタイプ、ＢＴ通信のパラメータ、およびＢＴ通信のために使用されるＢＴパケットタイプのうちの少なくとも１つに基いて、ＷＷＡＮセルサーチおよび／または測定の周期性を調整することとを含み得る。別の態様において、受信チェーンを使用することは、拡張音声（ＥＶ）パケットタイプ ＥＶ３、２ＥＶ３、または３ＥＶ３を含むＢＴ通信のために受信チェーンを使用することを含み得る。受信チェーンを使用することはまた、第２の受信チェーンによって使用される周波数または無線アクセス技術（ＲＡＴ）とは異なる周波数またはＲＡＴでＷＷＡＮセルサーチおよび／または測定のために受信チェーンを使用することを含み得る。
【００１０】
[0010]  一態様において、ＢＴリンク品質を検出することは、ＢＴ通信についてパケット誤り率（ＰＥＲ）を決定することを含み得る。ＷＷＡＮセルサーチおよび／または測定の周期性を調整することは、ＢＴ ＰＥＲが増大することにつれてＷＷＡＮセルサーチおよび／または測定の周期性を増大することをさらに含み、ＷＷＡＮセルサーチおよび／または測定の周期性はＷＷＡＮに基づく上限を有し得る。ＷＷＡＮセルサーチおよび／または測定の周期性を調整することはまた、ＢＴ ＰＥＲが複数のしきい値ＰＥＲ制限のうちの１つを超過していると決定することと、ＢＴ ＰＥＲによって超過されたしきい値ＰＥＲ制限に基いてＷＷＡＮセルサーチおよび／または測定の周期性を設定することとを含み得る。さらに、ＷＷＡＮセルサーチおよび／または測定の周期性を調整することは、所定のＰＥＲ範囲内にＢＴ ＰＥＲを維持するようにＷＷＡＮセルサーチおよび／または測定の周期性を設定することを含み得る。ＢＴ通信についてＰＥＲを決定することは、所定の時間期間にわたってＢＴ ＰＥＲを測定することを含み得る。
【００１１】
[0011]  別の態様において、ＷＷＡＮセルサーチおよび／または測定の周期性を調整することは、スケーリング係数をＷＷＡＮセルサーチおよび／または測定の周期性を調整するために使用することを含み得るとともに、ＢＴパケット誤り率を所定の範囲に維持するために最低の可能なスケーリング係数を選択することをさらに含み得る。
【００１２】
[0012]  付加的態様において、方法は、最小数のＢＴ通信インターバルがＷＷＡＮセルサーチおよび／または測定によって影響を及ぼされるようにＷＷＡＮセルサーチおよび／または測定タイミングとＢＴ通信とを揃える(aligning)ことをさらに含み得る。
【００１３】
[0013]  第２の例示的実施形態では、ワイヤレス通信のための装置が開示される。装置は、ブルートゥース（ＢＴ）通信とワイヤレス広域ネットワーク（ＷＷＡＮ）セルサーチおよび／または測定との両方のために受信チェーンを使用するための手段と、ＢＴ通信についてＢＴリンク品質を検出するための手段と、ＷＷＡＮセルサーチおよび／または測定の周期性をＢＴリンク品質に基いて調整するための手段とを含み得る。
【００１４】
[0014]  一態様において、ＷＷＡＮセルサーチおよび／または測定の周期性を調整するための手段は、ＢＴ通信のタイプ、ＢＴ通信のパラメータ、およびＢＴ通信のために使用されるＢＴパケットタイプを決定するための手段と、ＢＴリンク品質、ＢＴ通信のタイプ、ＢＴ通信のパラメータ、およびＢＴ通信のために使用されるＢＴパケットタイプのうちの少なくとも１つに基いて、ＷＷＡＮセルサーチおよび／または測定の周期性を調整するための手段とを含み得る。別の態様において、受信チェーンを使用するための手段は、拡張音声（ＥＶ）パケットタイプ ＥＶ３、２ＥＶ３、または３ＥＶ３を含むＢＴ通信のために受信チェーンを使用するための手段を含み得る。加えて、受信チェーンを使用するための手段は、第２の受信チェーンによって使用される周波数または無線アクセス技術（ＲＡＴ）とは異なる周波数またはＲＡＴでＷＷＡＮセルサーチおよび／または測定のために受信チェーンを使用するための手段を含み得る。
【００１５】
[0015]  別の態様において、ＢＴリンク品質を検出するための手段は、ＢＴ通信についてパケット誤り率（ＰＥＲ）を決定するための手段を含み得る。ＷＷＡＮセルサーチおよび／または測定の周期性を調整するための手段は、ＢＴ ＰＥＲが増大することにつれてＷＷＡＮセルサーチおよび／または測定の周期性を増大するための手段を含み、ＷＷＡＮセルサーチおよび／または測定の周期性はＷＷＡＮに基づく上限を有し得る。ＷＷＡＮセルサーチおよび／または測定の周期性を調整するための手段は、ＢＴ ＰＥＲが複数のしきい値ＰＥＲ制限のうちの１つを超過していると決定するための手段と、ＢＴ ＰＥＲによって超過されたしきい値ＰＥＲ制限に基いてＷＷＡＮセルサーチおよび／または測定の周期性を設定するための手段とを含み得る。ＷＷＡＮセルサーチおよび／または測定の周期性を調整するための手段は、所定のＰＥＲ範囲内にＢＴ ＰＥＲを維持するようにＷＷＡＮセルサーチおよび／または測定の周期性を設定するための手段を含み得る。ＢＴ通信についてＰＥＲを決定するための手段は、所定の時間期間にわたってＢＴ ＰＥＲを測定するための手段をさらに含み得る。
【００１６】
[0016]  さらに別の態様において、ＷＷＡＮセルサーチおよび／または測定の周期性を調整するための手段は、スケーリング係数をＷＷＡＮセルサーチおよび／または測定の周期性を調整するために使用するための手段を含み得る。装置はまた、ＢＴパケット誤り率を所定の範囲に維持するために最低の可能なスケーリング係数を選択するための手段を含み得る。付加的に、装置は、最小数のＢＴ通信インターバルがＷＷＡＮセルサーチおよび／または測定によって影響を及ぼされるようにＷＷＡＮセルサーチおよび／または測定のタイミングとＢＴ通信とを揃えるための手段をさらに含み得る。
【００１７】
[0017]  第３の例示的な実施形態では、ワイヤレス通信のための装置が開示される。装置は、プロセッサと、プロセッサと電気的に通信しているメモリと、メモリに保存された命令とを含み得る。命令は、ブルートゥース（ＢＴ）通信とワイヤレス広域ネットワーク（ＷＷＡＮ）セルサーチおよび／または測定との両方のために受信チェーンを使用し、ＢＴ通信についてＢＴリンク品質を検出し、ＷＷＡＮセルサーチおよび／または測定の周期性をＢＴリンク品質に基いて調整するためにプロセッサによって実行可能であり得る。
【００１８】
[0018]  一態様において、ＷＷＡＮセルサーチおよび／または測定の周期性を調整するための命令は、ＢＴ通信のタイプ、ＢＴ通信のパラメータ、およびＢＴ通信のために使用されるＢＴパケットタイプを決定し、ＢＴリンク品質、ＢＴ通信のタイプ、ＢＴ通信のパラメータ、およびＢＴ通信のために使用されるＢＴパケットタイプのうちの少なくとも１つに基いて、ＷＷＡＮセルサーチおよび／または測定の周期性を調整するためにプロセッサによって実行可能な命令を含み得る。
【００１９】
[0019]  別の態様において、ＢＴリンク品質を検出するための命令は、ＢＴ通信についてパケット誤り率（ＰＥＲ）を決定するためにプロセッサによって実行可能な命令を含み得る。ＷＷＡＮセルサーチおよび／または測定の周期性を調整するための命令は、スケーリング係数をＷＷＡＮセルサーチおよび／または測定の周期性を調整するために使用すためにプロセッサによって実行可能な命令を含み得る。
【００２０】
[0020]  さらに別の例示的実施形態では、コンピュータ実行可能なコードを記憶する非一時的コンピュータ可読媒体が開示される。コードは、ブルートゥース（ＢＴ）通信とワイヤレス広域ネットワーク（ＷＷＡＮ）セルサーチおよび／または測定との両方のために受信チェーンを使用し、ＢＴ通信についてＢＴリンク品質を検出し、ＷＷＡＮセルサーチおよび／または測定の周期性をＢＴリンク品質に基いて調整するためにプロセッサによって実行可能であり得る。
【００２１】
[0021]  一態様において、ＷＷＡＮセルサーチおよび／または測定の周期性を調整するためのコードは、ＢＴ通信のタイプ、ＢＴ通信のパラメータ、およびＢＴ通信のために使用されるＢＴパケットタイプを決定し、ＢＴリンク品質、ＢＴ通信のタイプ、ＢＴ通信のパラメータ、およびＢＴ通信のために使用されるＢＴパケットタイプのうちの少なくとも１つに基いて、ＷＷＡＮセルサーチおよび／または測定の周期性を調整するためにプロセッサによって実行可能なコードを含み得る。
【００２２】
[0022]  上記は、以下の詳細な説明がより良く理解され得るように、本開示による例の特徴および技術的利点をどちらかといえば広く概説している。追加の特徴および利点が以下に説明される。開示される概念および特定の例は、本開示と同じ目的を行うための他の構造を変形または設計するための基礎として直ちに利用され得る。このような等価な構造は、添付の特許請求の範囲の範囲から逸脱するものでない。本明細書で開示される概念の特質であると考えられる特徴は、関連する利点とともに、それらの編成および動作の方法の両方に関して、添付の図に関連して検討されたときに以下の説明からより良く理解されるであろう。図の各々は、例示および説明のみを目的として提供されるもので、特許請求の範囲の制限の定義として提供されるものでない。
【００２３】
[0023]  本発明の性質および利点のさらなる理解が、以下の図面を参照することによって実現され得る。添付された図では、同様のコンポーネントまたは特徴は、同じ参照ラベルを有し得る。さらに、同じタイプの様々なコンポーネントは、参照ラベルに、ダッシュと、同様のコンポーネント間を区別する第２のラベルとを後続させることによって区別され得る。本明細書中で第１の参照ラベルのみが使用される場合、その説明は、第２の参照ラベルに関係なく同じ第１の参照ラベルを有する同様のコンポーネントのいずれか１つに適用可能である。
【図面の簡単な説明】
【００２４】
【図１】本開示の様々な態様に従って、ワイヤレス通信システムのシステム図を示す。
【図２】本開示の様々な態様に従って、ワイヤレス通信システムのシステム図を示す。
【図３】本開示の様々な態様に従って、ブルートゥースリンク品質テーブルを示す。
【図４】本開示の様々な態様に従って、ブルートゥースおよびＷＷＡＮ通信タイミング図を示す。
【図５】本開示の様々な態様に従って、ブルートゥースおよびＷＷＡＮ通信タイミング図を示す。
【図６】本開示の様々な態様に従って、ワイヤレス通信での使用のために構成されたデバイスのブロック図を示す。
【図７】本開示の様々な態様に従って、ワイヤレス通信での使用のために構成されたデバイスのブロック図を示す。
【図８】本開示の様々な態様に従って、ワイヤレス通信システムのブロック図を示す。
【図９】本開示の様々な態様に従って、ワイヤレス通信のための方法の例を例示するフローチャートである。
【図１０】本開示の様々な態様に従って、ワイヤレス通信のための方法の例を例示するフローチャートである。
【詳細な説明】
【００２５】
[0034]  多くのＵＥは、異なるＲＡＴでの通信を容易にするために複数のアンテナおよびモデムを含む。一例では、ＵＥが１つまたは複数のＷＷＡＮアンテナを含み得、また少なくとも１つのＷＬＡＮアンテナを含み得る。これらアンテナは、各々受信および送信チェーンを含む対応モデムを有する。ＵＥがブルートゥース通信のようなＷＬＡＮ通信のためにそのＷＬＡＮモデムを通常使用し得る一方で、ＵＥは様々なＷＷＡＮ通信のためにそのＷＬＡＮアンテナおよびモデムを使用する必要も有し得る。例えば、ＵＥがそのＷＷＡＮアンテナおよびモデムの全てを進行中のＷＷＡＮ通信のために使用していることがあるが、追加の周波数間ＷＷＡＮセルサーチおよび測定動作（inter frequency WWAN cell search and measurement operations）を行う必要も有し得る。ＵＥがＷＷＡＮセルサーチおよび測定動作を行うためにその進行中のＷＷＡＮ通信を中断できる一方で、ＵＥは代わりにそのＷＬＡＮアンテナおよび受信チェーンを使用してＷＷＡＮセルサーチおよび測定動作を行い得る。こうすることで、ＵＥは進行中のＷＷＡＮ通信に対するなんらかの中断を回避する。
【００２６】
[0035]  しかしながら、ＷＷＡＮセルサーチおよび測定動作のためのＵＥのＷＬＡＮアンテナの使用は、生じ得るブルートゥースのような他のＷＬＡＮ通信との何らかの追加の協調からの恩恵を被り得る。例えば
、音声通信のような通常のブルートゥースｅＳＣＯ通信において、ＢＴ ｅＳＣＯインターバルは５．１ｍｓより短くあり得る（例えば、拡張音声（ＥＶ）パケットタイプＥＶ３を含むブルートゥース通信は３．７５ｍｓのＢＴ ｅＳＣＯインーターバルを有する。）ロングタームエボリューション（ＬＴＥ（登録商標））セルサーチおよび測定では、ＬＴＥサンプルキャプチャーが約５．１ｍｓであり得る。このため、ＬＴＥセルサーチおよび測定動作は特定のＢＴ ｅＳＣＯ通信と干渉し得る。しかしながら、干渉の度合いは、ＬＴＥセルサーチおよび測定動作の周期性が調整される（例えば、増大される）場合に低減され得る。ＬＴＥセルサーチおよび／または測定が４０ｍｓ毎に度々生じる一方で、ＬＴＥセルサーチおよび／または測定の周期性が４８０ｍｓ毎にのみ生じるように調整され得る。ＬＴＥセルサーチおよび測定周期性は、ＢＴ ｅＳＣＯ通信の測定されたリンク品質に基いて調整され得る。ＢＴ ｅＳＣＯ通信リンク品質が高いのであれば、ＬＴＥセルサーチおよび／または測定周期性が最小に調整され得る。しかしながら、ＢＴ ｅＳＣＯ通信リンク品質が低いのであれば、ＬＴＥセルサーチおよび／または測定周期性が、目標ＢＴ ｅＳＣＯ通信リンク品質を維持するために増大され得る。ＬＴＥセルサーチおよび／または測定周期性は、このため４０＊k msに設定され得、ここでｋは、ＢＴ ｅＳＣＯ通信リンク品質に依存して１から１２まで変化する整数であり得る。ＢＴ ｅＳＣＯ通信リンク品質はＢＴパケット誤り率（ＰＥＲ）によって測定され得る。
【００２７】
[0036]  以下の説明は、例を提供しており、特許請求の範囲に記載されている範囲、適用可能性、または例を限定してはいない。変更が、本開示の範囲から逸脱することなく、説明される要素の機能および取り合わせにおいて行われ得る。様々な例は、適宜、様々なプロシージャまたはコンポーネントを省略、代用、あるいは追加し得る。例えば、説明される方法は、説明されるものとは異なる順序で行われ得、様々なステップが追加、省略、または組み合わされ得る。また、ある特定の例に関して説明される特徴は、他の例において組み合され得る。
【００２８】
[0037]  図１を参照すると、システム図がワイヤレス通信システム１００の例を例示している。ワイヤレス通信システム１００は、基地局（複数可）１０５、アクセスポイント（複数可）（ＡＰ）１１０、およびＵＥ１１５のような複数の移動デバイスを含み得る。ＡＰ１１０は、例えば、規格のＩＥＥＥ８０２．１１ファミリーの少なくとも１つを実施するネットワークのようなＷＬＡＮ無線アクセスネットワーク（ＲＡＮ）を介してワイヤレス通信を提供し得る。ＡＰ１１０は、例えば、ＵＥへのブルートゥース通信アクセスを提供し得る。各ＡＰ１１０は地理的カバレッジエリア１２２を有して、そのエリア内のＵＥがＡＰ110と通常通信できるようにしている。ＵＥ１１５は、異なる無線アクセスネットワークを介してＡＰ１１０および基地局１０５と通信する多元接続移動デバイスであり得る。移動局、パーソナルデジタルアシスタント（ＰＤＡ）、他のハンドヘルドデバイス、ネットブック、ノートブックコンピュータ、タブレットコンピュータ、ラップトップ、ディスプレイデバイス（例えば、ＴＶ、コンピュータモニタ、等）、プリンタなどのようなＵＥ１１５は、固定または移動式であって、地理的カバレッジエリア１２２および／または１２０、基地局１０５の地理的カパレッジエリアを横断し得る。１つのＡＰ１１０のみが例示されるものの、ワイヤレス通信システム１００は複数のＡＰ１１０を含み得る。ＵＥ１１５のうちのいくつかまたは全ては、通信リンク１３５を介してＡＰ１１０と、および／または通信リンク１２５を介して基地局１０５と、連携および通信し得る。
【００２９】
[0038]  ワイヤレス通信システム１００はまた、コアネットワーク１３０を含み得る。コアネットワーク１３０は、ユーザ認証、アクセス認証、トラッキング、インターネットプロトコル（ＩＰ）接続性、並びに他のアクセス、ルーティング、またはモビリティ機能を提供し得る。基地局１０５は、迂回（backhaul）リンク１３２（例えば、Ｓ１等）を介してコアネットワーク１３０とインターフェースして、ＵＥ１１５との通信のために無線コンフィギュレーションおよびスケジューリングを行えたり、基地局コントローラ(図示されない)の制御の下で動作できたりする。いくつかの例において、基地局１０５は、直接的にまたは間接的（例えば、コアネットワーク１３０を通じて）にのいずれかで、迂回リンク１３４（例えば、Ｘ１等）を通じて互いに通信し得、迂回リンク１３４は、ワイヤードまたはワイヤレス通信リンクであり得る。
【００３０】
[0039]  図１に示されないが、ＵＥ１１５は１つ以上のＡＰ１１０および／または基地局１０５によってカバーされることができ、このため異なる時間に複数のＡＰ１１０または基地局１０５と連携できる。例えば、単一のＡＰ１１０およびＵＥの連携されたセットは基本サービスセット（ＢＳＳ：basic service set）と呼ばれ得る。拡張サービスセット（ＥＳＳ：extended service set）は、接続されたＢＳＳのセットである。分散システム（ＤＳ：distribution system）（図示されない）は拡張サービスセットにおいてＡＰ１００に接続するために使用される。 アクセスポイント１１０のための地理的カバレッジエリア１２２は、カバレッジエリア（図示されない）の一部のみを構成する複数のセクタに分割され得る。ワイヤレス通信システム１００は、カバレッジエリアのサイズが変化し、カバレッジエリアが異なる技術に対してオーバーラップする異なるタイプのＡＰ１１０（例えば、メトロポリタンエリア、ホームネットワーク、等）を含み得る。図示されないが、他のワイヤレスデバイスがＡＰ１１０と通信し得る。
【００３１】
[0040]  基地局１０５は、複数の基地局アンテナを介して複数のＵＥ１１５とワイヤレスで通信し得る。基地局１０５拠点の各々は、該当する地理的カバレッジエリア１２０のための通信カバレッジを提供し得る。いくつかの例において、基地局１０５は、トランシーバ基地局、無線基地局、アクセスポイント、無線トランシーバ、ノードＢ、ｅノードＢ（ｅＮＢ）、ホームノードＢ、ホームｅノードＢ、または何らかの他の適した用語で呼ばれ得る。基地局１０５のための地理的カバレッジエリア１２０は、カバレッジエリア（図示されない）の一部のみを構成する複数のセクタに分割され得る。ワイヤレス通信システム１００は、異なるタイプの基地局１０５（例えば、マクロおよび／またはスモール基地局）を含み得る。異なる技術に対してオーバーラップしているカバレッジエリア１２０／１２２が存在し得る。
【００３２】
[0041]  いくつかの例において、ワイヤレス通信システム１００は、ＬＴＥ／ＬＴＥ−Ａネットワークの一部を含み得る。ＬＴＥ／ＬＴＥ−Ａネットワークにおいて、用語ＵＥが一般に移動デバイス１１５を説明するために使用され得る一方で、用語発展型ノードＢ（ｅＮＢ）は一般に基地局１０５を説明するために使用され得る。ワイヤレス通信システム１００は、異なるタイプのｅＮＢが様々な地理的領域にカバレッジを提供する異種ＬＴＥ／ＬＴＥ−Ａネットワークであり得る。例えば、各ｅＮＢまたは基地局１０５は、マクロセル、スモールセル、および／または他のタイプのセルのために通信カバレッジを提供し得る。「セル」という用語は、基地局、基地局に関連付けされたキャリアまたはコンポーネントキャリア、あるいはキャリアまたは基地局のカバレッジエリア（例えば、セクタ、等）を説明するために使用され得る３ＧＰＰ（登録商標）の用語である。
【００３３】
[0042]  マクロセルは一般に、比較的大きい地理的エリア（例えば、半径数キロメートル）をカバーし、ネットワークプロバイダとの、サービスに加入しているＵＥによる無制限のアクセスを可能にし得る。スモールセルは、マクロセルと同一または異なる（例えば、免許、免許不要、等の）周波数帯域で動作し得、マクロセルと比べてより低い電力の基地局である。スモールセルは、様々な例に従ってピコセル、フェムトセル、およびマイクロセルを含み得る。ピコセルは一般に、比較的より小さい地理的エリアをカバーし、ネットワークプロバイダのサービスに加入しているＵＥによる無制限のアクセスを可能にし得る。フェムトセルは、比較的小さい地理的エリア（例えば、家）をカバーし、このフェムトセルとの関連付けを有するＵＥ（例えば、クローズド加入者グループ（ＣＳＧ）内におけるＵＥ、家の中にいるユーザのためのＵＥ、等）による制限されたアクセスを可能にし得る。マクロセルに対するｅＮＢは、マクロｅＮＢと呼ばれ得る。スモールセルに対するｅＮＢは、スモールセルｅＮＢ、ピコｅＮＢ、フェムトｅＮＢ、またはホームｅＮＢと呼ばれ得る。ｅＮＢは、１つまたは多数（例えば、２つ、３つ、４つ、等）のセル（例えば、コンポーネントキャリア）をサポートし得る。
【００３４】
[0043]  ワイヤレス通信システム１００は、同期または非同期動作をサポートし得る。同期動作では、基地局は類似のフレームタイミングを有し得、異なる基地局からの送信が時間的に近似に整列され得る。非同期動作では、基地局は異なるフレームタイミングを有し得、異なる基地局からの送信が時間的にほとんど整列され無いことがある。本明細書で説明される技法は、同期または非同期動作のいずれかに対して使用され得る。
【００３５】
[0044]  様々な開示される例のうちのいくつかを収容する（accommodate）通信ネットワークは、層状プロトコルスタックに従って動作するパケットベースのネットワークであり得る。ユーザプレーンでは、ベアラまたはパケットデータコンバージェンスプロトコル（ＰＤＣＰ）レイヤおける通信は、ＩＰベースであり得る。無線リンク制御（ＲＬＣ）レイヤは、論理チャネルを通じて通信するためにパケットセグメンテーションおよびリアセンブリを行い得る。媒体アクセス制御（ＭＡＣ）レイヤは、優先処理および論理チャネルのトランスポートチャネルへの多重化を行い得る。ＭＡＣ層はまた、リンク効率を高めるためにＭＡＣ層において再送を提供するハイブリッドＡＲＱ（ＨＡＲＱ）を使用し得る。制御プレーンでは、無線リソース制御（ＲＲＣ）プロトコルレイヤは、ユーザプレーンデータのための無線ベアラをサポートする、ＵＥ １１５と基地局１０５またはコアネットワーク１３０との間のＲＲＣ接続の確立、構成、および維持を提供し得る。物理（ＰＨＹ）レイヤにおいて、トランスポートチャネルは、物理チャネルにマッピングされ得る。
【００３６】
[0045]  ＵＥ１１５は、ワイヤレス通信システム１００全体にわたって分散され得、各ＵＥ１１５は、固定または移動式であり得る。ＵＥ115はまた、モバイル局、加入者局、モバイルユニット、加入者ユニット、ワイヤレスユニット、遠隔ユニット、移動デバイス、ワイヤレスデバイス、ワイヤレス通信デバイス、遠隔デバイス、モバイル加入者局、アクセス端末、モバイル端末、ワイヤレス端末、遠隔端末、ハンドセット、ユーザエージェント、モバイルクライアント、クライアント、または何らかの他の適した専門用語として当業者によって呼ばれ得る。ＵＥ１１５は、セルラ電話、パーソナルデジタルアシスタント（ＰＤＡ）、ワイヤレスモデム、ワイヤレス通信デバイス、ハンドヘルドデバイス、タブレットコンピュータ、ラップトップコンピュータ、コードレス電話、ワイヤレスローカルループ（ＷＬＬ）局、等であり得る。ＵＥ１１５は様々なタイプの基地局、並びにマクロｅＮＢ、スモールセルｅＮＢ、中継基地局、ＡＰ、等のネットワーク設備と通信可能であり得る。
【００３７】
[0046]  ワイヤレス通信システム１００で図示されている通信リンク１２５は、ＵＥ１１５から基地局１０５へのアップリンク（ＵＬ）送信および／または基地局１０５からＵＥ１１５へのダウンリンク（ＤＬ）送信を含み得る。ダウンリンク送信は、順方向リンク送信とも呼ばれ得、一方でアップリンク送信は、逆方向リンク送信とも呼ばれ得る。各通信リンク１２５は少なくとも１つのキャリアを含み得、ここで各キャリアは、上述された様々な無線技術に従って変調された複数のサブキャリア（例えば、異なる周波数の波形信号）からなる信号であり得る。各変調された信号は、異なるキャリア上で送られ、制御情報（例えば、基準信号、制御チャネル、等）、オーバヘッド情報、ユーザデータ、等を搬送し得る。キャリアは、（例えば、ペアにされたスペクトルリソースを使用する）ＦＤＤまたは（例えば、ペアにされていないスペクトルリソースを使用する）ＴＤＤ動作を使用して、双方向通信を送信し得る。ＦＤＤに関するフレーム構造（例えば、フレーム構造タイプ１）およびＴＤＤに関するフレーム構造（例えば、フレーム構造タイプ２）が定義され得る。
【００３８】
[0047]  システム１００のいくつかの実施形態において、基地局１０５、ＡＰ１１０、および／またはＵＥ１１５は、アンテナダイパーシティ方式を採用するための複数のアンテナを、基地局１０５、ＡＰ１１０、およびＵＥ１１５間の通信品質およびおよび信頼性を向上させるために含み得る。加えて、または代替的に、基地局１０５、ＡＰ１１０、および／またはＵＥ１１５は、同一または異なるコード化データを搬送する複数の空間レイヤを送信するたにマルチパス環境を利用し得る多入力他出力（ＭＩＭＯ）技法を採用し得る。
【００３９】
[0048]  システム１００は、基地局１０５およびアクセスポイント１１０の両方と通信しているＵＥ１１５−ａを含む。例として、ＵＥ１１５−ａはブルートゥース通信を使用してアクセスポイント１１０と通信し得る一方で、ＵＥ１１５−ａはＬＴＥまたは他のＷＷＡＮ通信を使用して基地局１０５と通信し得る。通信は同時であり得る。例として、ＵＥ１１５−ａはブルートゥースハンズフリー通信システムを含む車輌において使用され得る。こうした状況では、ＵＥ１１５−ａは基地局１０５とセルラー音声通信に従事し得る一方で、また車輌においてブルートゥースハンズフリー通信システムで音声通信を中継する。加えて、同時のＷＷＡＮおよびブルートゥース通信が生じる間に、ＵＥ１１５−ａは周波数間ＷＷＡＮセルサーチおよび測定を行う必要がさらにあり得る。この状況は、図2においてより詳細に説明される。
【００４０】
[0049]  図２は、ワイヤレス通信システム２００の例を示すシステム図を例示する。ワイヤレス通信システム２００は、基地局１０５−ａ−１、１０５−ａ−２、アクセスポイント１１０−ａ、およびＵＥ１１５−ｂを含み得る。ＵＥ１１５−ｂは、図１のシステム１００におけるＵＥ１１５の例であり得、ＷＷＡＮおよびブルートゥース通信の両方に従事し得る。基地局１０５−ａ−１、１０５−ａ−２は、図１のシステム１００に含まれる基地局１０５の例であり得、アクセスポイント１１０−ａは、図１のシステム１００におけるアクセスポイント１１０の例であり得る。
【００４１】
[0050]  システム２００において、ＵＥ１１５−ｂは少なくとも２つの異なるアンテナ２０５、２１０を含み得る。例えば、アンテナ２０５はＷＷＡＮアンテナであり得、またＷＷＡＮモデムと関連付けされ得る。アンテナ２０５を使用し、ＵＥ１１５−ｂは、通信リンク１２５を介する基地局１０５−ａ−２とのＷＷＡＮ通信に従事し得る。アンテナ２０５および関連するＷＷＡＮモデムはＷＷＡＮ通信中に使用される受信および送信チェーンの両方を含み得る。
【００４２】
[0051]  ＵＥ１１５−ｂはまた、ＷＬＡＮアンテナであり得るアンテナ２１０を含み得る。システム２００において、ＵＥ１１５−ｂは、（通信リンク１２５を介して）基地局１０５−ａ−１および（通信リンク１３５を介して）アクセスポイント１１０−ａの両方と通信するためにアンテナ２１０を使用し得る。アクセスポイント１１０−ａとの通信はブルートゥース通信であり得る一方で、基地局１０５−ａ−１との通信はＷＷＡＮセルサーチおよび測定動作の一部であり得る。このため、ＷＷＡＮセルサーチおよび測定動作およびブルートゥース通信はアンテナ２１０に関連付けされたＷＬＡＮモデムの受信チェーンを共有し得る。受信チェーンの共有は、以下でさらに詳細に説明されるように、ＷＷＡＮセルサーチおよび測定動作およびブルートゥース通信間の何らかの協調からの恩恵を被り得る。
【００４３】
[0052]  通常、ＬＴＥセルサーチおよび測定動作において、ＬＴＥサンプルキャプチァは５．１ｍｓの最小値を要求し得る。ＬＴＥ規格は、ＬＴＥセルサーチおよび測定動作が少なくとも４８０ｍｓ毎に行われることを要求しているものの、これら測定は平均化を可能にするためにしばしばより頻繁に行われる。このため、ＬＴＥサンプルキャプチャは４０ｍｓ毎にしばしば行われ得、アンテナ２１０上での４０ｍｓの使用を外れた５．１ｍｓがＬＴＥサンプルキャプチャに振り向けられる。しかしながら、ＵＥ１１５−ｂが従事するブルートゥース通信が音声または（ストリーミング音声通信のために使用されるｓＳＣＯ通信のような）低レイテンシーを要求する他の通信であれば、ＬＴＥセルサーチおよび測定動作に専用される４０ｍｓ毎の使用を外れた５．１ｍｓを有することがブルートゥース通信において承認できない高誤り率をもたらし得る。
【００４４】
[0053]  図３におけるテーブル３００は、この点を説明することを助ける。テーブル３００は、ブルートゥース通信のために承認できると思われる様々なオーディオ品質を例示する。テーブル３００において、ブルートゥースリンク品質はＢＴパケット誤り率（ＰＥＲ）に関連付けされ得る。コラム３０５は、潜在的ＢＴ ＰＥＲのリストを指示する。ＢＴ ＰＥＲはまた、コラム３１０に例示されるように、オーディオ品質平均評価スコア（ＭＯＳ：audio quality mean opinion score）と関連付けされ得る。例えば、０％のＢＴ ＰＥＲは、５のＭＯＳを有する完璧なサウンド品質に対応する。他の例として、３％のＢＴ ＰＥＲはＨｉＦｉ用に可であると考えられ、３．７のＭＯＳスコアを有する。３．７から５の予想測定スコア(Expected measured scores)は、異なる使用層（tier of use）（例えば、プレミアム、上位、中間、パリューＵＥ）について評価されたユーザ承認レベルを例示するコラム３１５に指示されるように、全ての使用層について承認できると考えられる。しかしながら、３．４未満の予想測定スコアは少なくともいくつかの使用層について承認できると考えられない。このため、テーブル３００に示されるように、もしＢＴリンク品質が（ｅＳＣＯ通信のような）低レイテンシーオーディオ通信に対して十分であると思われるならば、ＢＴオーディオ通信が３％以上でないＰＥＲを有するべきである。
【００４５】
[0054]  この点は、ブルートゥースおよびＷＷＡＮ通信タイミング図４００を示す図４にも例示される。特に、タイミング図４００  は、アンテナ（例えば、図２のアンテナ２１０）の同一受信チェーンを共有するＢＴ ｅＳＣＯ通信およびＬＴＥセルサーチおよび測定動作の両方の可能なタイミングを例示する。タイミング図４００は、いくつかのＵＥがそれらのＢＴ ｅＳＣＯ通信のために利用される、拡張音声（ＥＶ）パケットタイプＥＶ３通信に特有のものである。
【００４６】
[0055]  タイミング図４００に示されるように、ＥＶ３ ｅＳＣＯインターバル４１０は通常６つのＢＴスロット４２５を含む。このため、タイミング図４００は、各々６つのＢＴスロットを含むＥＶ３ ｅＳＣＯインターバル４１０−ａ、４１０−ｂ、および４１０−ｃを例示する。各ＥＶ３ ｅＳＣＯインターバル４１０内では、１つのＢＴスロット４２５が（タイミング図４００においてＢＴスロットＭとして指示される）マスタ−スレーブ送信のために予約され一方で、たのＢＴスロット４２５が（タイミング図４００においてＢＴスロットＳとして指示される）スレーブ−マスタ送信のために予約される。例えば、ＢＴスロットＭおよびＳに続いて、各ＥＶ３ ｅＳＣＯインターバル４１０は、再送信のために予約される４つのＢＴスロットを含む。タイミング図４００は再送信ウィンドウ４１５−ａ、４１５−ｂ、および４１５−ｃを含む。各ＥＶ３ ｅＳＣＯインターバル４１０の開始はｅＳＣＯインスタント４０５と呼ばれる。タイミング図４００はｅＳＣＯインスタント４０５−ａ、４０５−ｂ、および４０５−ｃを含む。このため、タイミング図４００は、３つの連続するＥＶ３ ｅＳＣＯインターバル４１０−ａ、４１０−ｂ、および４１０−ｃをそれらのコンポーネントＢＴスロット４２５ともに例示する。
【００４７】
[0056]  ＷＷＡＮセルサーチおよび測定動作（ＬＴＥセルサーチおよび測定動作のような）は、同一のアンテナおよび受信チェーン（図２のアンテナ２１０のような）を使用して同時に行われる場合、ＷＷＡＮセルサーチおよび測定動作がＥＶ３ ｅＳＣＯインターバル４１０の１つまたは複数のＢＴスロットＭ、Ｓとオーバーラップし得る。このため、タイミング図４００において、ＬＴＥサンプルキャプチャ４２０が、Ｖ３ ｅＳＣＯインターバル４１０−ｂの１つまたは複数のＢＴスロットＭ、Ｓを含む、ＥＶ３ ｅＳＣＯインターバル４１０−ａ、４１０−ｂとオーバーラップするように例示される。上で説明されたように、ＬＴＥサンプルキャプチャは約５．１ｍｓをとり得る。ＥＶ３ ｅＳＣＯでは、ＥＶ３ ｅＳＣＯインターバルが通常３．７５ｍｓである。このため、ＬＴＥサンプルキャプチャ４２０と１つまたは複数のＥＶ３ ｅＳＣＯインターバル４１０とのオーバーラップは、これら２つの処理が同一のアンテナおよび受信チェーンを共有して同一時間に起きるならば生じることが保証される。ＬＴＥサンプルキャプチャ４２０の適切な整列は、いくつかのオーバーラップ（および干渉）が保証されるものの、衝突される(impacted)ＥＶ３ ｅＳＣＯインターバル４１０の数、特に影響を被るＢＴスロットＭ、Ｓの数を最小化できる。
【００４８】
[0057]  図５は、パケットタイプＥＶ３よりも厳格でない拡張音声（ＥＶ）パケットタイプ２ＥＶ３に関係するブルートゥースおよびＷＷＡＮ通信タイミング図５００を例示する。タイミング図５００に示されるように、２ＥＶ３ ｅＳＣＯインターバル５１０は通常１２個のＢＴスロット５２５を含む。このため、タイミング図５００は、各々１２個のＢＴスロット５２５を含む、２ＥＶ３ ｅＳＣＯインターバル５１０−ａおよび５１０−ｂを例示する。各２ＥＶ３ ｅＳＣＯインターバル５１０はまた、マスタ−スレーブ送信ＢＴスロットＭおよびスレーブ−マスタ送信ＢＴスロットＳを含む。ＢＴスロットＭおよびＳに続いて、各２ＥＶ３ ｅＳＣＯインターバル５１０は、再送信のために予約された４つのＢＴスロット５２５を含む。これら再送信スロットは再送信ウィンドウ５１５を構成する。タイミング図５００は、再送信ウィンドウ５１５−ａおよび５１５−ｂを含む。各２ＥＶ３ ｅＳＣＯインターバル５１０はまた、ｅＳＣＯインスタント５０５−ａ、５０５−ｂを含む。このため、タイミング図５００は２つの連続するＥＶ３ ｅＳＣＯインターバル５１０−ａ、５１０−ｂ、をそれらのコンポーネントＢＴスロット５２５ともに例示する。タイミング図５００に示されるように、適切に整列されたＬＴＥサンプルキャプチャ５２０は、単一の２ＥＶ３ ｅＳＣＯインターバル５１０にオーバーラップし得、ＢＴスロットＭ、Ｓにオーバーラップし得ない。
【００４９】
[0058]  それにもかかわらず、ＥＶ３および２ＥＶ３ ｅＳＣＯの両方の状況では、頻繁過ぎるＬＴＥサンプルキャプチャが進行中のＢＴ通信との承認できない高レベルの干渉をもたらし得る。例えば、ＥＶ３ ｅＳＣＯ通信中の４０ｍｓ毎のＬＴＥサンプルキャプチャは約９．３７５％のＢＴ ＰＥＲをもたらし得る。図３のテーブル３００に示されるように、９．３７５％のＢＴ ＰＥＲはどの使用層も承認できないはずである。
【００５０】
[0059]  共有アンテナを使用するＬＴＥセルサーチおよび／または測定中のＢＴ ＰＥＲを低減するために、ＬＴＥセルサーチまたは測定の周期性が増大できる。より具体的には、ＢＴ ｅＳＣＯおよびＬＴＥセルサーチおよび／または測定の周期性が「k」の係数によって増大でき、ここでｋは１および１２の間で変化できる。ＬＴＥセルサーチおよび測定周期性がそれで４０＊ｋ msになる。ｋ＝１のとき（ＢＴ ｅＳＣＯ通信が生じないことを意味する）、ＬＴＥセルサーチおよび／または測定が４０ｍｓ毎に生じる。ｋ＝１２のとき、ＬＴＥセルサーチおよび／または測定が４８０ｍｓ毎に生じる。ｋはＢＴ ｅＳＣＯ ＰＥＲに基いて選定され得る。ｋの最低の可能な値は、図３のテーブル３００に示されるように、承認できるＭＯＳに対応する２から３％のＢＴ ｅＳＣＯ ＰＥＲを維持するために選択され得る。このため、ＢＴリンク品質が良好のとき、ｋは３または４であり得る。中程度のＢＴリンク品質は８に近いｋをもたらす。低品位のＢＴリンク品質は１２であるｋをもたらす。
【００５１】
[0060]  加えて、ＬＴＥサンプルキャプチャは、さらに干渉の機会を低減するために時間的にＢＴ ｅＳＣＯインターバルに揃えられる(aligned)。上で説明されたように、ＥＶ３パケットタイプＢＴ ｅＳＣＯに関し、ＬＴＥサンプルキャプチャは少なくとも１つのＢＴ ｅＳＣＯインターバルに、ＬＴＥサンプルキャプチャとＢＴ ｅＳＣＯインターバルとが適切に揃えられない場合にことにより２つに、衝突する(impact)ことが保証される。２ＥＶ３パケットタイプ（または３ＥＶ３、等のような他のあまり厳格でないパケットタイプ）に関し、ＬＴＥサンプルキャプチャはまた、適切に揃えられない場合に１つのＢＴ ｅＳＣＯインターバルにまで衝突し得るはずである。このため、ＬＴＥサンプルキャプチャおよびＢＴ ｅＳＣＯインターバルは揃えられ得る。このため、ＢＴ ＰＥＲが時間のウィンドウにわたって測定され得る。測定されたＰＥＲが第１の低しきい値よりも大きくない場合（ＢＴリンク品質が良好を意味する）、低い測定周期性（低ｋ）が選択され得る。測定されたＰＥＲが第１の低しきい値よりも大きく、第２の高しきい値よりも大きくない場合（ＢＴリンク品質が中程度を意味する）、中間の測定周期性（中間ｋ）が選択され得る。測定されたＰＥＲが第２の高しきい値よりも大きい場合（ＢＴリンク品質が低品位を意味する）、高い測定周期性（高ｋ）が選択され得る。
【００５２】
[0061]  図６は、本開示の様々な態様に従って、ワイヤレス通信で使用するためのデバイス６０５のブロック図６００を示す。デバイス６０５は、図１および／または図２を参照して説明されたＵＥ１１５のうちの１つまたは複数の態様の例であり得る。デバイス６０５は、受信機モジュール６１０、ＷＷＡＮセルサーチおよび測定モジュール６１５、および／または送信機モジュール６２０を含み得る。デバイス６０５はまた、プロセッサ（図示されない）を含み得る。これらコンポーネントの各々は、互いと通信状態にあり得る。
【００５３】
[0062]  デバイス６０５のコンポーネントは、個々にまたは集合的に、ハードウェア中で適用可能な機能のうちのいくつかまたは全てを行うように適合された１つまたは複数の特定用途向け集積回路（ＡＳＩＣ）を使用して実施され得る。代替として、機能は、１つまたは複数の集積回路上で、１つまたは複数の他の処理ユニット（あるいはコア）によって行われ得る。他の例では、他のタイプの集積回路（例えば、ストラクチャード／プラットフォームＡＳＩＣ、フィールドプログラマブルゲートアレイ（ＦＰＧＡ）、および他のセミカスタムＩＣ）が使用され得、それらは、当該技術において知られている任意の方式でプログラムされ得る。各モジュールの機能はまた、全体的にあるいは部分的に、メモリ内に統合される命令群で実現され、１つ以上の汎用または特定用途向けのプロセッサによって実行されるようにフォーマットされ得る。
【００５４】
[0063]  受信機６１０は、様々な情報チャネル（例えば、制御チャネル、データチャネルなど）に関連付けられた、パケット、ユーザデータ、および／または制御情報のような情報を受信し得る。受信機モジュール６１０はＷＬＡＮ受信機モジュールであり得、（ブルートゥース通信のような）ＷＬＡＮ通信およびＷＷＡＮセルサーチおよび測定情報を受信するように構成され得る。受信機モジュール６１０はまた、何らかの進行中のＢＴ ｅＳＣＯ通信の（例えばＰＥＲのような）リンク品質を決定するために使用され得る。受信された情報は、ＷＷＡＮセルサーチおよび測定モジュール６１５およびデバイス７０５の他のコンポーネントに渡され得る。
【００５５】
[0064]  ＷＷＡＮセルサーチおよび測定モジュール６１５は、ＢＴ ｅＳＣＯ通信とＷＷＡＮセルサーチおよび測定動作との両方が単一のアンテナを使用して同時に行われていることを決定するために使用され得る。そのような場合のとき、ＷＷＡＮセルサーチおよび測定モジュール６１５は、進行中のＢＴ ｅＳＣＯ通信についての、ＰＥＲのようなリンク品質を決定し得る。決定されたリンク品質に基いて、ＷＷＡＮセルサーチおよび測定モジュール６１５はまた、進行中のＷＷＡＮセルサーチおよび/または測定の周期性を調整し得る。ＷＷＡＮセルサーチおよび/または測定の周期性は、４０＊ｋの係数によって調整され得る。低いＰＥＲ（例えば、約１％の）は、３または４のどちらかの低ｋをもたらし得る。中程度のＰＥＲ(例えば、１％と２％との間の)は、約８の中間ｋをもたらし得る。 高いＰＥＲ（例えば、２％より大きい）は、約１２の高ｋをもたらし得る。４０＊１２に等しいＷＷＡＮセルサーチおよび/または測定周期性は、４８０ｍｓのＬＴＥ最大周期性に等しい。
【００５６】
[0065]  送信機モジュール６２０は、上記説明に従ってＢＴ ｅＳＣＯ通信を送信するために使用され得、またデバイス６０５から受信された１つまたは複数の信号を送信し得る。 いくつかの実施形態では、送信機モジュール６２０は、トランシーバモジュールにおいて、受信機モジュール６１０と共に配置され得る。
【００５７】
[0066]  図7は、本開示の様々な態様に従って、ワイヤレス通信での使用のためのデバイス６０５−ａのブロック図７００を示す。デバイス６０５−ａは、図１および／または図２を参照して説明されたＵＥ１１５のうちの１つまたは複数の態様の例であり得る。それはまた、図６を参照して説明されたデバイス６０５の例であり得る。デバイス６０５−ａは、受信機モジュール６１０−ａ、ＷＷＡＮセルサーチおよび測定モジュール６１５−ａ、および送信機モジュール６２０−ａを含み得、それは、デバイス６０５の対応するモジュールの例であり得る。デバイス６０５−ａはまた、プロセッサ（図示されない）を含み得る。これらコンポーネントの各々は、互いと通信状態にあり得る。ＷＷＡＮセルサーチおよび測定モジュール６１５−ａは、ＢＴ ｅＳＣＯモジュール７０５、ＢＴ ＰＥＲモジュール７１０、および／またはＷＷＡＮセルサーチおよび測定周期性調整モジュール７１５を含み得る。受信機モジュール６１０−ａおよび送信機モジュール６２０−ａは、図６の受信機モジュール６１０および送信機モジュール６２０の機能をそれぞれ行い得る。
【００５８】
[0067]  ＢＴ ｅＳＣＯモジュール７０５は、ＢＴ ｅＳＣＯ通信が進行中であって、ＷＷＡＮセルサーチおよび測定動作と同一アンテナを共有しているかどうかを決定するためにＷＷＡＮセルサーチおよび測定モジュール６１５−ａによって使用され得る。ＢＴ ｅＳＣＯ通信が進行中でない場合、たとえ共有アンテナがブルートゥースおよびＷＷＡＮセルサーチおよび測定動作の両方のために使用されていても、ＷＷＡＮセルサーチおよび測定モジュール６１５−ａが使用される必要がなく、ブルートゥースおよびＷＷＡＮ動作間のタイミングが調整される必要がないことがある。しかしながら、低レイテンシーを要求する、ＢＴ ｅＳＣＯ通信のようなブルートゥース通信が生じる一方で、ＷＷＡＮセルサーチおよび測定動作も生じている場合、ＷＷＡＮサンプルキャプチャの調整が望ましいことがある。このため、ＢＴ ｅＳＣＯモジュール７０５は、同一のアンテナ上でＢＴ ｅＳＣＯ通信がＷＷＡＮセルサーチおよび測定と同時に生じているかどうかを決定するために使用され得る。
【００５９】
[0068]  ＢＴ ＰＥＲモジュール７１０は進行中のＢＴ ｅＳＣＯ通信のＰＥＲまたはリンク品質を決定するために使用され得る。ＰＥＲまたはリンク品質は、ＷＷＡＮセルサーチおよび/または測定周期性が調整されるべきであるかどうかを決定することをＷＷＡＮセルサーチおよび測定モジュール６１５−ａにさせるために決定される。２％から３％のＢＴ ＰＥＲはほとんどのＢＴ ｅＳＣＯ通信について承認可能であると考えられる。このため、ＷＷＡＮセルサーチおよび/または測定周期性は、２％から３％のＢＴ ＰＥＲを少なくとも維持するために調整され得る。
【００６０】
[0069]  ＷＷＡＮセルサーチおよび測定周期性調整モジュール７１５は、ＷＷＡＮセルサーチおよび/または測定周期性に対して為すべき調整の程度(extent)を決定するためにＢＴ ＰＥＲモジュール７１０によって決定されたＢＴ ＰＥＲを使用し得る。。ＷＷＡＮセルサーチおよび/または測定周期性は、４０＊ｋの係数によって調整され得る。低いＢＴ ＰＥＲ（例えば、約１％の）は、３または４のどちらかの低ｋをもたらし得る。中程度のＢＴ ＰＥＲ(例えば、１％と２％との間の)は、約８の中間ｋをもたらし得る。 高いＢＴ ＰＥＲ（例えば、２％より大きい）は、約１２の高ｋをもたらし得る。４０＊１２に等しいＷＷＡＮセルサーチおよび/または測定周期性は、４０ｍｓ（最良ケースのＢＴ ＰＥＲのための）から４８０ｍｓ（低品位のＢＴ ＰＥＲのための）まで調整され得る。
【００６１】
[0070]  図８は、様々な例に従って、ワイヤレス通信における使用のためのシステム８００を示す。システム８００は、図１および／または図２のＵＥ１１５の例であり得るＵＥ１１５−ｃを含み得る。ＵＥ１１５−ｃはまた、図６および／または図７のデバイス６０５の１つまたは複数の態様の例であり得る。
【００６２】
[0071]  ＵＥ１１５−ｃは一般に、通信を送信するためのコンポーネントおよび通信を受信するためのコンポーネントを含む、双方向音声およびデータ通信のためのコンポーネントを含み得る。ＵＥ１１５−ｃは、複数のアンテナ８４０、トランシーバモジュール８３５、プロセッサモジュール８０５、および（ソフトウェア（ＳＷ）８２０を含む）メモリ８１５を含み得、これらは各々、（例えば、１つまたは複数のバス８４５を介して）直接的または間接的に、互いに通信し得る。トランシーバモジュール８３５は、複数のアンテナ８４０および／または１つまたは複数のワイヤードまたはワイヤレスリンクを介して、上で説明された１つまたは複数のネットワークと双方向に通信するように構成され得る。例えば、トランシーバモジュール８３５は、図２および／図２を参照して基地局１０５並びにアクセスポイント１１０と双方向に通信するように構成され得る。トランシーバモジュール８３５は、パケットを変調し、変調されたパケットを送信のためにアンテナ８４０に提供し、アンテナ８４０から受信されたパケットを復調するように構成されたモデムを含み得る。ＵＥ１１５−ｃは、複数のワイヤレス送信を同時に送信および／または受信することが可能な複数のアンテナ８４０を有し得る。トランシーバモジュール８３５は、複数のコンポーネントキャリアを介して１つまたは複数の基地局１０５と同時に通信可能であり得る。加えて、トランシーバモジュール８３５は、基地局１０５およびアクセスポイント１１０の両方と通信可能なモデムを含み得る。一例として、トランシーバモジュール８３５は、ＷＷＡＮセルサーチおよび測定動作が行われることと同一の時間にブルートゥース通信を処理可能なモデムを含み得る。
【００６３】
[0072]  ＵＥ１１５−ｃは、図６および図７のデバイス６０５のＷＷＡＮセルサーチおよび測定モジュール６１５のために上で説明された機能を行う、ＷＷＡＮセルサーチおよび測定モジュール６１５−ｂを含み得る。ＵＥ１１５−ｃはまた、ＢＴ ｅＳＣＯ通信およびＷＷＡＮセルサーチおよび測定アライメントモジュール８２５を含み得る。ＢＴ ｅＳＣＯ通信およびＷＷＡＮセルサーチおよび測定アライメントモジュール８２５は、ブルートゥース通信およびＷＷＡＮセルサーチおよび測定動作間の干渉が低減および／または最小化されるように、ＢＴ ｅＳＣＯインターバルとＷＷＡＮサンプルキャプチャとが時間的に揃えられることを確実にするために使用され得る。これは、ブルートゥース通信がＥＶ３ ｅＳＣＯ通信を含む場合に、ＷＷＡＮサンプルキャプチャが２つのＥＶ３ ｅＳＣＯインターバルのみであって、（オーバラップされたＥＶ３ ｅＳＣＯインターバルのうちの１つの）マスタ−スレーブ送信ＢＴスロットおよびスレーブ−マスタ送信ＢＴスロットにのみオーバラップするように揃えられることを意味する。ブルートゥース通信が２ＥＶ３ ｅＳＣＯ通信を含む場合、ＷＷＡＮサンプルキャプチャは１つの２ＥＶ３ ｅＳＣＯインターバルにのみオーバラップし、マスタ−スレーブ送信ＢＴスロットまたはスレーブ−マスタ送信ＢＴスロットにオーバラップしないように揃えられる。
【００６４】
[0073]  メモリ８１５は、ランダムアクセスメモリ（ＲＡＭ）および読取専用メモリ（ＲＯＭ）を含み得る。メモリ８０５は、実行された場合、プロセッサモジュール８０５に、本明細書に記載された様々な機能（例えば、ＢＴ ＰＥＲを測定してＷＷＡＮサンプルキャプチャ周期性を調整する、等）を実行させるように構成された命令を含む、コンピュータ可読、コンピュータ実行可能なソフトウェア／ファームウェアコード８２０を記憶し得る。代わりに、ソフトウェア／ハードウェアコード８２０が、プロセッサモジュール８０５によって直接実行可能ではないものの、（例えば、コンパイルされ、実行されたときに）、コンピュータに、本明細書で説明されている機能を行わせるように構成され得る。プロセッサモジュール８０５は、例えば、中央処理ユニット（ＣＰＵ）、マイクロコントローラ、特定用途向け集積回路（ＡＳＩＣ）、等のようなインテリジェントハードウェアデバイスを含み得る。
【００６５】
[0074]  図９は、本開示の様々な態様に従って、ワイヤレス通信のための方法９００の例を例示するフローチャートである。明確さのために、方法９００は、図１、図２および／または図８に関連して説明された移動デバイス１１５のうちの１つまたは複数の態様、および／または、図６および／または図７に関連して説明されたデバイス６０５のうちの１つまたは複数の態様に関連して以下に説明される。いくつかの例において、ＵＥは、ＵＥの１つまたは複数の機能要素を制御して以下に説明される機能を行わせるための複数のコードの１つまたは複数のセットを実行し得る。加えて、または代替的に、ＵＥは以下に説明される１つまたは複数の機能を特定用途ハードウェアを使用して行い得る。
【００６６】
[0075]  ブロック９０５で、方法９００は受信チェーンをブルートゥース(BT)通信とワイヤレス広域ネットワーク(ＷＷＡＮ)セルサーチおよび／または測定との両方に使用することを含み得る。このため、ＵＥが複数のアンテナを含み得る一方で、ＵＥが同一のアンテナをブルートゥース通信とＷＷＡＮセルサーチおよび測定との両方に使用している。ブルートゥース通信は例えば、ｅＳＣＯ通信であり得、このため低いレイテンシーを要求する。プロック９０５での動作は、図６、図７、および／または８を参照して説明されたＷＷＡＮセルサーチおよび測定モジュール６１５、特に図７のＢＴ ｅＳＣＯモジュール７０５を使用して行われる。
【００６７】
[0076]  ブロック９１０で、方法９００は、ＢＴ通信についてＢＴリンク品質を検出することを含む。これは、ＢＴ通信の例えば、ＢＴ ＰＥＲを検出することによって為され得る。ＢＴ ＰＥＲは、ブルートゥース通信がｅＳＣＯ通信をサポートするための十分なリンク品質を有するかどうか、またはＷＷＡＮセルサーチおよび／または測定周期性がＢＴ ＰＥＲを向上させるために調整されるべきかどうかを決定するために検出され得る。プロック９１０での動作は、図６、図７、および／または図８を参照して説明されたＷＷＡＮセルサーチおよび測定モジュール６１５、特に図７のＢＴ ＰＥＲモジュール７１０を使用して行われ得る。
【００６８】
[0077]  ブロック９１５で、方法９００は、ＷＷＡＮセルサーチおよび／または測定周期性をＢＴリンク品質に基いて調整することを含み得る。ＷＷＡＮセルサーチおよび／または測定周期性は、例えば、４０＊ｋとして設定され得、ここで変数ｋはＢＴ ＰＥＲに基いて調整され得る。低いＰＥＲ（第１のしきい値の下にある）は、低ｋの使用をもたらし得る。中程度のＰＥＲ(低いしきい値と高いしきい値との間にある)は、中間ｋの使用をもたらし得る。 高いＰＥＲ（高いしきい値の上にある）は、高ｋの使用をもたらし得る。変数ｋは１から１２まで変化し得る。ブロック６１５での動作は、図６、図７、および／または図８を参照して説明されたＷＷＡＮセルサーチおよび測定周期性調整モジュール６１５、特に図７のＷＷＡＮセルサーチおよび測定周期性調整モジュール７１５を使用して行われ得る。
【００６９】
[0078]  このため、方法９００は、ワイヤレス通信を提供し得る。方法９００は、単に１つの具体例に過ぎず、方法９００の動作は、他の具体例が可能になるように、再構成またはそうでない場合は変形され得ることに留意されたい。
【００７０】
[0079]  図１０は、本開示の様々な態様に従って、ワイヤレス通信のための方法１０００の例を例示するフローチャートである。明確さのために、方法１０００は、図１、図２および／または図8に関連して説明されたＵＥ１１５のうちの１つまたは複数の態様、および／または、図6および／または図７に関連して説明されたデバイス６０５のうちの１つまたは複数の態様に関連して以下に説明される。いくつかの例において、ＵＥは、ＵＥの１つまたは複数の機能要素を制御して以下に説明される機能を行わせるための複数のコードの１つまたは複数のセットを実行し得る。加えて、または代替的に、ＵＥは以下に説明される１つまたは複数の機能を特定用途ハードウェアを使用して行い得る。
【００７１】
[0080]  ブロック１００５で、方法１０００は、ＵＥがＢＴ ｅＳＣＯ通信のような低レイテンシーブルートゥース通信を使用しているかどうかを決定することを含み得る。ＵＥがＢＴ ｅＳＣＯ通信に従事していない場合、ここで何らかの進行中のＷＷＡＮセルサーチおよび測定動作がデフォルトの周期性で継続し得る（ブロック１０１０で）。しかしながら、ＵＥがＢＴ ｅＳＣＯ通信に従事していて、ＷＷＡＮセルサーチおよび測定動作が共有ＷＬＡＮアンテナを使用して生じている場合には、ＷＷＡＮセルサーチおよび測定の周期性が調整され得る。
【００７２】
[0081]  ブロック１０１５で、方法１０００は４０*ｋ  ｍｓに等しいＷＷＡＮセルサーチおよぴ／または測定周期性を設定することによりＷＷＡＮセルサーチおよぴ測定周期性の調整の準備をすることを含み得、ここでｋは１に等しいか１よりも大きい整数である。ＬＴＥセルサーチおよび測定に関し、ｋは１から１２の範囲の整数であり得る。他のＷＷＡＮシステムでは、ｋが異なる最大値を有し得る。
【００７３】
[0082]  ブロック１０２０で、方法１０００は時間のウィンドウにわたってＢＴ ＰＥＲを測定することを含み得る。ＢＴ ＰＥＲは、ＢＴ ｅＳＣＯ通信のリンク品質が承認可能であるかどうかを決定し、そうでなければＷＷＡＮセルサーチおよび測定の周期性を調整すべきかどうかを決定するために測定され得る。
【００７４】
[0083]  ブロック１０２５で、測定されたＢＴ ＰＥＲは第１のしきい値と比較される。第１のしきい値は、測定されたＢＴ ＰＥＲが一般に良好なリンク品質を表す第１のしきい値未満であることを指示する低いしきい値であり得る。第１のしきい値は、例えば１％に等しくあり得る。このため、測定されたＰＥＲが第１のしきい値（例えば、１％）未満である場合、ＷＷＡＮセルサーチおよび測定周期性が低く設定され得る（ブロック１０３０で）。これは、ＢＴリンク品質が良好であると考えられるので、頻繁なＷＷＡＮセルサーチおよび測定が為され得ることを意味する。このインスタンスでは、ｋが１から４の範囲に設定され得る。
【００７５】
[0084]  測定されたＢＴ ＰＥＲが第１のしきい値よりも大きいと決定される場合（ブロック１０２５で）、  測定されたＢＴ ＰＥＲは第２のしきい値と比較される（ブロック１０３５で）。第２のしきい値は、測定されたＢＴ ＰＥＲが一般に低品位のリンク品質を表す第２のしきい値よりも高いことを指示する高いしきい値であり得る。第１および第２のしきい値の間にある、測定されたＢＴ ＰＥＲは一般に中程度のリンク品質を表す。第２のしきい値は、例えば２％に等しくあり得る。従って、測定されたＰＥＲが第１のしきい値（例えば、１％）よりも大きいが、第２のしきい値（例えば、２％）未満である場合、ＷＷＡＮセルサーチおよび測定周期性は中間に設定され得る（ブロック１０４０で）。これは、ＢＴリンク品質が中程度であるにすぎないと考えられるので、ＷＷＡＮセルサーチおよび測定があまり頻繁でないように設定され得ることを意味する。このインスタンスでは、ｋが５から８の範囲に設定され得る。
【００７６】
[0085]  測定されたＰＥＲが第２のしきい値（例えば、２％）よりも大きい場合、ＷＷＡＮセルサーチおよび測定周期性が高く設定され得る（ブロック１０４５で）。これは、ＢＴリンク品質が低品位であるにすぎないと考えられるので、ＷＷＡＮセルサーチおよび測定が稀になるように設定されることを意味する。このインスタンスでは、ｋが９から１２の範囲に設定され得る。
【００７７】
[0086]  一旦、ｋが設定されると、方法１０００は次のＰＥＲ平均化ウィンドウまで待ち、この後ウィンドウにわたってＢＴ ＰＥＲを測定することに戻る（ブロック１０２０で）。このため、ＷＷＡＮセルサーチおよび測定がＢＴ ＰＥＲ平均化ウィンドウ毎に頻繁に為され得る。
【００７８】
[0087]  いくつかの例において、方法９００、１０００は組み合わされ得る。方法９００、１０００は、単に１つの具体例に過ぎず、方法９００、1000の動作は、他の具体例が可能になるように、再構成またはそうでない場合は変形され得ることに留意されたい。
【００７９】
[0088]  本明細書で説明される技法は、ＣＤＭＡ、ＴＤＭＡ、ＦＤＭＡ、ＯＦＤＭＡ、ＳＣ−ＦＤＭＡ、および他のシステムのような様々なワイヤレス通信システムに対して使用され得る。用語「システム」および「ネットワーク」は、しばしば区別なく用いられる。ＣＤＭＡシステムは、ＣＤＭＡ２０００、ユニバーサル地上無線アクセス（ＵＴＲＡ）、等のような無線技術を実現し得る。ＣＤＭＡ２０００は、ＩＳ−２０００、ＩＳ−９５、およびＩＳ−８５６規格をカバーする。ＩＳ−２０００リリース０およびＡは一般に、ＣＤＭＡ２０００ １Ｘ、１Ｘ、等と呼ばれる。ＩＳ−８５６（ＴＩＡ−８５６）は、一般的に、ＣＤＭＡ２０００ 1ｘＥＶ−ＤＯ、高速パケットデータ（ＨＲＰＤ）、等と称される。ＵＴＲＡは、広帯域ＣＤＭＡ（ＷＣＤＭＡ（登録商標））およびＣＤＭＡの他のバリエーションを含む。ＴＤＭＡシステムは、モバイル通信のためのグローバルシステム（ＧＳＭ（登録商標））のような無線技術を実施し得る。ＯＦＤＭＡシステムは、ウルトラモバイルブロードバンド（ＵＭＢ）、発展型ＵＴＲＡ（Ｅ−ＵＴＲＡ）、ＩＥＥＥ８０２．１１（Ｗｉ−Ｆｉ）、ＩＥＥＥ８０２．１６（ＷｉＭＡＸ）、ＩＥＥＥ８０２．２０、フラッシュＯＦＤＭ（登録商標）、等、のような無線技術を実施し得る。ＵＴＲＡおよびＥ-ＵＴＲＡは、ユニバーサルモバイルテレコミュニケ―ションシステム（ＵＭＴＳ）の一部である。3ＧＰＰロングタームエボリューション（ＬＴＥ）およびＬＴＥアドバンスト（ＬＴＥ−Ａ）は、Ｅ−ＵＴＲＡを使用するＵＭＴＳの最新リリースである。ＵＴＲＡ、Ｅ−ＵＴＲＡ、ＵＭＴＳ、ＬＴＥ、ＬＴＥ−ＡおよびＧＳＭは、「第３世代パートナーシッププロジェクト」（３ＧＰＰ）という名称の団体からの文書内において説明されている。ｃｄｍａ２０００およびＵＭＢは、「第３世代パートナーシッププロジェクト２」（３ＧＰＰ２）という名称の団体からの文書内において説明されている。本明細書で説明された技法は上述されたシステムおよび無線技術とともに、免許不要および／または共有帯域上のセルラー（例えば、ＬＴＥ）通信を含む、他のシステムおよび無線技術のために使用し得る。しかしながら上記の説明は、例の目的でＬＴＥ／ＬＴＥ−Ａシステムを説明しており、ＬＴＥという専門用語が上記の説明のほとんどにおいて使用されているものの、その技法はＬＴＥ／ＬＴＥ−Ａアプリケーションを超えて適用可能である。
【００８０】
[0089]  添付された図面に関連して上述された詳細な説明は、例を説明しており、実施され得るまたは特許請求の範囲の範囲内にある例のみを表してはいない。「例（example）」、「例証的（exemplary）」という用語は、本説明中で使用されるとき、「例、事例、または例示としての役割を果たす」ことを意味し、「好ましい」または「他の例に対して有利である」ことを意味しない。詳細な説明は、説明された技法の理解を提供することを目的として特定の詳細を含む。これらの技法は、しかしながら、これらの特定の詳細なしに実施され得る。いくつかの事例において、良く知られている構造および装置は、説明された例の概念を曖昧にすることを避けるために、ブロック図形式で示される。
【００８１】
[0090]  情報および信号は、多様な異なる技術および技法のうちの任意のものを使用して表わされ得る。例えば、上記の説明の全体にわたって参照され得る、データ、命令、コマンド、情報、信号、ビット、シンボル、およびチップは、電圧、電流、電磁波、磁場または磁粒子、光場または光学粒子、あるいはそれらの任意の組み合わせによって表わされ得る。
【００８２】
[0091]  本明細書での開示に関連して説明された様々な例示的なブロックおよびコンポーネントは、汎用プロセッサ、デジタルシグナルプロセッサ（ＤＳＰ）、ＡＳＩＣ、ＦＰＧＡまたは他のプログラマブル論理デバイス、離散ゲートまたはトランジスタ論理、離散ハードウェアコンポーネント、あるいは本明細書で説明された機能を行うように設計されたそれらの任意の組み合わせで実施または行われ得る。汎用プロセッサは、マイクロプロセッサであり得るが、代替において、このプロセッサは、任意の従来のプロセッサ、コントローラ、マイクロコントローラ、または状態マシン（state machine）であり得る。プロセッサはまた、計算デバイスの組み合わせ、例えば、ＤＳＰおよびマイクロプロセッサの組み合わせ、複数のマイクロプロセッサ、ＤＳＰコアと連携した１つまたは複数のマイクロプロセッサ、あるいは任意の他のそのような構成として実施され得る。
【００８３】
[0092］  ここで説明された機能は、ハードウェア、プロセッサによって実行されるソフトウェア、ファームウェア、またはそれらの任意の組み合わせで実施され得る。プロセッサによって実行されるソフトウェアで実施される場合、機能は、コンピュータ可読媒体上で、１つまたは複数の命令またはコードとして記憶または送信され得る。他の例および具体例は、本開示および添付された特許請求の範囲の範囲および精神内にある。例えば、ソフトウェアの性質に起因して、上述された機能は、プロセッサによって実行されるソフトウェア、ハードウェア、ファームウェア、ハード配線、またはこれらのいずれかの組み合わせを使用して実施されることができる。機能を実施する特徴はまた、機能の一部分が異なる物理的ロケーションにおいて実施されるように分散されることを含めて、様々な位置に物理的にロケートされ得る。請求項を含む本明細書で使用される場合、「および／または」という用語は、２つ以上の項目からなるリストで使用されるとき、リストされた項目のうちのいずれか１つが単独で採用され得ること、または、リストされた項目のうちの２つ以上からなる任意の組み合わせが採用され得ることを意味する。例えば、ある構成が、コンポーネントＡ、Ｂ、および／またはＣを含むものとして説明されている場合、この構成は、Ａだけ、Ｂだけ、Ｃだけ、ＡとＢの組み合わせ、ＡとＣの組み合わせ、ＢとＣの組み合わせ、またはＡとＢとＣの組み合わせを含み得る。また、請求項を含む本明細書で使用される場合、項目のリスト（例えば、「のうちの少なくとも１つ」または「のうちの１つまたは複数」のようなフレーズで始まる項目のリスト）において使用されるような「または（or）」は、例えば「Ａ、Ｂ、またはＣのうちの少なくとも１つ」のリストが、Ａ、またはＢ、またはＣ、またはＡＢ、またはＡＣ、またはＢＣ、またはＡＢＣ（すなわち、ＡおよびＢおよびＣ）を意味するような離接的なリスト（disjunctive list）を示す。
【００８４】
[0093]  コンピュータ可読媒体は、１つの場所から別の場所へのコンピュータプログラムの転送を容易にするあらゆる媒体を含む通信媒体とコンピュータ記憶媒体との両方を含む。記憶媒体は、汎用または特殊用途コンピュータによってアクセスされることができる任意の利用可能な媒体であり得る。限定ではなく例として、コンピュータ可読媒体は、ＲＡＭ、ＲＯＭ、ＥＥＰＲＯＭ（登録商標）、フラッシュメモリ、ＣＤ−ＲＯＭまたは他の光ディスク記憶装置、磁気ディスク記憶装置または他の磁気記憶デバイス、あるいは命令またはデータ構造の形態で所望のプログラムコード手段を搬送または記憶するために使用されることができ、汎用または特殊用途コンピュータ、もしくは汎用または特殊用途プロセッサによってアクセスされることができる任意の他の媒体を備えることができる。また、任意の接続は、厳密にはコンピュータ可読媒体と称される。例えば、ソフトウェアがウェブサイト、サーバ、または他の遠隔ソースから、同軸ケーブル、光ファイバーケーブル、ツイストペア、デジタル加入者回線（ＤＳＬ）、あるいは赤外線、無線、およびマイクロ波のようなワイヤレス技法を使用して送信される場合、同軸ケーブル、光ファイバーケーブル、ツイストペア、ＤＳＬ、あるいは赤外線、無線、およびマイクロ波のようなワイヤレス技法は送信媒体の定義に含まれている。ディスク（disk）およびディスク（disc）は、本明細書で使用される場合、コンパクトディスク（ＣＤ）（disc）、レーザーディスク（登録商標）（disc）、光ディスク（disc）、デジタル多用途ディスク（ＤＶＤ）（disc）、フロッピー（登録商標）ディスク（disk）およびＢｌｕ−ｒａｙ（登録商標）ディスク（disc）を含み、ここで、ディスク（disk）は通常、磁気的にデータを再生し、その一方でディスク（disc）は、レーザーを用いて光学的にデータを再生する。上記の組み合わせもまた、コンピュータ可読媒体の範囲内に含まれる。
【００８５】
[0094]  本開示の先の説明は、当業者が本開示を製造または使用することを可能にするために提供される。本開示への様々な変形は、当業者にとって直ちに明らかであり、ここに定義された一般的な原理は、本開示の範囲から逸脱することなく、他の変形形態に適用され得る。従って、本開示は、ここに説明された例および設計に限定されるべきではなく、ここに開示された原理および新規な特徴と一致する最も広い範囲を与えられることとなる。
【図１】
2017537513.tif 000003
【図２】
2017537513.tif 000004
【図３】
2017537513.tif 000005
【図４】
2017537513.tif 000006
【図５】
2017537513.tif 000007
【図６】
2017537513.tif 000008
【図７】
2017537513.tif 000009
【図８】
2017537513.tif 000010
【図９】
2017537513.tif 000011
【図１０】
2017537513.tif 000012
【国際調査報告】
2017537513.tif 000013
2017537513.tif 000014